(57)【特許請求の範囲】
【請求項１】
浴室床面を構成する防水パンの縁部に浴室戸を装着するに際し、
浴室戸を受けるための受け材と、受け材の下側に上下動自在に係合した固定材を備えた支持装置を用い、
受け材が、防水パンの上面に接触する止水部と、固定材の下降限を決定する係止部を備えると共に、固定材が、防水パンの側面に相対向する固定部を備えており、
受け材に固定材を上下動自在に係合した後、
防水パンの上面に受け材の止水部を接触させた状態にして、固定材の上下方向の位置調整を行ってから、第１ねじにより防水パンの側面に固定材の固定部を固定し、
その後、受け材の挿通部分に上側から挿通した第２ねじを、固定材のねじ穴に螺着するのに伴って、防水パンの上面に止水部を圧接させることを特徴とする浴室戸の製造方法。
【請求項２】
受け材及び固定材が、防水パンの縁部に沿う長尺材であることを特徴とする請求項１に記載の浴室戸の製造方法。
【請求項３】
受け材における第２ねじの挿通部分が、上方向に突出した膨出部であることを特徴とする請求項１又は２に記載の浴室戸の製造方法。
【請求項４】
受け材に固定材を上下動自在に係合した後、
防水パンの上面に受け材の止水部を接触させる前に、受け材に上側から挿通した第２ねじを固定材のねじ穴に螺着する仮止めを行うことを特徴とする請求項１〜３のいずれか1項に記載の浴室戸の製造方法。
【発明の詳細な説明】
【技術分野】
【０００１】
本発明は、防水パンを備えたユニットバス等において、防水パンの縁部に浴室戸を装着する際に用いられる浴室戸の製造方法に関するものである。
【背景技術】
【０００２】
この種の技術としては、例えば、特許文献１に記載された浴室建具の支持構造がある。特許文献１に記載の支持構造は、防水パンに固定した受け材を介して建具を支持する構造であって、受け材が、建具を支持する支持片部と、防水パンの上面に密接される止水片部と、防水パンの側面に固定するための固定片部を有すると共に、防水パンに対して所定の高さから当該受け材を下降させる下降手段を備えている。
【０００３】
より具体的には、受け材は、止水片部及び固定片部を有する主受け材と、防水パンの側面に固定される副受け材とで構成されている。また、下降手段としては、副受け材に形成した傾斜面と、主受け材を横方向から貫通して傾斜面に先端が接触するねじを備え、ねじを締めることにより傾斜面で生じる分力で主受け材を下降させる手段や、副受け材の下部に当接する回動部材と、主受け材を横方向から貫通して回動部材を回動させるねじを備え、ねじの回動により回動部材をカムとして作用させて主受け材を下降させる手段がある。
【０００４】
そして、上記の技術は、受け材において、主受け材の内側に副受け材を組み込んだ状態にして、防水パンの側面に副受け材をねじで固定した後、下降手段により主受け材を下降させて主受け材の止水部を防水パンの上面に密接させ、最後に、防水パンに主受け材をねじで固定するものとなっている。
【先行技術文献】
【特許文献】
【０００５】
【特許文献１】特許第４５１６５４１号公報
【発明の概要】
【発明が解決しようとする課題】
【０００６】
しかしながら、上記したような従来技術にあっては、受け材の下降手段すなわち横方向から回転操作するねじの力を受け材の下降に変換させる手段を採用していたため、装置構造が複雑であると共に、防水パンに対する止水片の充分な密接力が得難いなどの問題点があり、これらの問題点を解決することが課題であった。
【０００７】
本発明は、上記従来の課題に着目して成されたものであって、装置構造や取付作業の簡略化を実現することができると共に、防水パンとの間の充分な止水性を確保することができる浴室戸の製造方法を提供することを目的としている。
【課題を解決するための手段】
【０００８】
本発明の浴室戸の製造方法は、浴室床面を構成する防水パンの縁部に浴室戸を装着するに際し、浴室戸を受けるための受け材と、受け材の下側に上下動自在に係合した固定材を備えた支持装置を用い、受け材が、防水パンの上面に接触する止水部と、固定材の下降限を決定する係止部を備えると共に、固定材が、防水パンの側面に相対向する固定部を備えている。
【０００９】
そして、浴室戸の製造方法は、受け材に固定材を上下動自在に係合した後、防水パンの上面に受け材の止水部を接触させた状態にして、固定材の上下方向の位置調整を行ってから、第１ねじにより防水パンの側面に固定材の固定部を固定し、その後、受け材の挿通部分に上側から挿通した第２ねじを、固定材のねじ穴に螺着するのに伴って、防水パンの上面に止水部を圧接させる構成としており、上記構成をもって従来の課題を解決するための手段としている。
【００１０】
また、本発明の浴室戸の製造方法は、受け材に固定材を上下動自在に係合した後、  防水パンの上面に受け材の止水部を接触させる前に、受け材に上側から挿通した第２ねじを固定材のねじ穴に螺着する仮止めを行うことを特徴としている。
【発明の効果】
【００１１】
本発明に係わる浴室戸の製造方法によれば、受け材及び固定材の位置決めが極めて容易であり、装置構造や取付作業の簡略化を実現することができると共に、防水パンとの間の充分な止水性を確保することができる。
【００１２】
本発明に係わる浴室戸の製造方法によれば、予め受け材と固定材を仮止めしておくことにより、固定材の位置決めがより一層容易になる。
【図面の簡単な説明】
【００１３】
【図１】本発明に係る浴室戸の製造方法の一実施形態において、防水パンの上面に受け材の止水部を接触させた状態を説明する断面図（Ａ）、防水パンへの固定部の固定及び止水部の圧接を説明する断面図（Ｂ）、固定材に受け材を固定した状態を説明する断面図（Ｃ）である。
【図２】図１に示す支持装置を備えた浴室戸の垂直断面図である。
【発明を実施するための形態】
【００１４】
以下、図面に基づいて、本発明に係る浴室戸の製造方法の一実施形態を説明する。
浴室戸の製造方法に適用可能な支持装置は、図１及び図２に示すように、浴室床面を構成する防水パンＰの縁部（浴室出入口の縁部）に装着して浴室戸Ｕを支持するものである。なお、図１及び図２では、図中左側を浴室側とし、図中右側を脱衣室側とする。
【００１５】
支持装置は、図１に示すように、浴室戸Ｕを受けるための受け材１１と、受け材１１の下側に上下動自在に係合した固定材１２を備えている。受け材１１及び固定材１２は、いずれも所定断面を長手方向に連続して有する金属製の中空形材であり、互いに組み合わせて防水パンＰの縁部に沿って取付ける。なお、防水パンＰは樹脂製である。
【００１６】
受け材１１は、防水パンＰの上面に接触する止水部１１Ａと、固定材１２の下降限を決定する係止部１１Ｂ〜１１Ｄを備えている。止水部１１Ａは、浴室側に突出した片から成り、シール材１３を介して防水パンＰの上面に接触する。この実施形態における係止部１１Ｂ〜１１Ｄは、浴室側で側方に開放した凹部の下端部（１１Ｂ）や、脱衣室側で下方に開放した凹部の開口縁の突片（１１Ｃ，１１Ｄ）である。このとき、浴室側の凹部及び脱衣室側の凹部は、同等の高さ寸法を有している。
【００１７】
さらに、受け材１１は、脱衣室側で下方に開放した上記凹部の水平辺（底辺）を水平連結部１１Ｅとし、同凹部の脱衣室側の垂直辺を下方に延長してこれを垂直連結部１１Ｆとしている。また、水平連結部１１Ｅは、その中央に、上方へ突出した膨出部１１Ｇを有している。
【００１８】
固定材１２は、浴室側の下部に、防水パンＰの側面に相対向する固定部１２Ａを備えている。また、固定材１２は、浴室側の上部に、受け材１１の浴室側の係止部１１Ｂに対応する係止部１２Ｂを有すると共に、脱衣室側の上部に、受け材１１の脱衣室側の係止部１１Ｃ，１１Ｄに対応する係止部１２Ｃ，１２Ｄを有している。
【００１９】
さらに、固定材１２は、脱衣室側の両係止部１２Ｃ，１２Ｄの間に、受け材１１の水平連結部１１Ｅの下面に相対向する水平連結部１２Ｅを有すると共に、水平連結部１２Ｅの脱衣室側に、受け材１１の垂直連結部１１Ｆの浴室側の面に相対向する垂直連結部１２Ｆを有している。
【００２０】
受け材１１及び固定材１２は、受け材１１の係止部１１Ｂ〜１１Ｄに、固定材１２Ｂ〜１２Ｄを夫々係止させた状態に組み合わされる。この際、受け材１１及び固定材１２は、小口部分から互いに係合して長手方向にスライドさせれば、簡単に組み合わせることができる。組み合わせ後、受け材１１及び固定材１２の小口部分には、これを閉塞するキャップ類を設けることも可能である。
【００２１】
上記の如く組み合わせた受け材１１及び固定材１２は、受け材１１の各凹部の高さ寸法分だけ、相対的に上下動自在であり、係止部１１Ｂ〜１１Ｄ，１２Ｂ〜１２Ｄによって固定材１２の下降限（受け材１１の上昇限）を決定している。
【００２２】
そして、支持装置は、以下の第１〜第３のねじＳ１〜Ｓ３を備えている。第１ねじＳ１は、防水パンＰの上面に受け材１１の止水部１１Ａを接触させた状態において、防水パンＰの側面に固定材１２の固定部１２Ａを固定するねじである。
【００２３】
第２ねじＳ２は、第１ねじＳ１により防水パンＰの側面に固定部１２Ａを固定した状態において、受け材１１に上側から挿通して固定材１２に螺着するのに伴って防水パンＰの上面に止水部１１Ａを圧接させるねじである。
【００２４】
第３ねじＳ３は、第２ねじＳ２の螺着に伴って防水パンＰの上面に止水部１１Ａを圧接させた状態において、受け材１１に側部から挿通して固定材１２に螺着するねじである。
【００２５】
上記の第１〜第３のねじＳ１〜Ｓ３は、受け材１１及び固定材１２の長手方向における適当な位置に設けることができ、例えば、３個一組にして複数組を適宜間隔で配置しても良いし、所定範囲内で３個のねじを互いにずらせて配置しても良い。
【００２６】
次に、上記構成を備えた浴室戸の支持装置の取付要領とともに製造方法を説明する。
先ず、支持装置は、図１（Ａ）に示す如く受け材１１及び固定材１２を互いに組み合わせると共に、受け材１１における水平連結部１１Ｅの膨出部１１Ｇに第２ねじＳ２を上側から挿通させ、この第２ねじＳ２を固定材１２の水平連結部１２Ｅに螺着する。このとき、第２ねじＳ２は、下端部のみを螺着する仮止めの状態である。
【００２７】
そして、防水パンＰの上面に、受け材１１の止水部１１Ａを接触させると共に、防水パンＰの側面に固定材１２の固定部１２Ａを当接させる。この状態では、膨出部１１Ｇのねじ挿通部分が単純な穴であるから、受け材１１に対して固定材１２が上下動自在である。従って、固定材１２は、各係止部１１Ｂ〜１１Ｄ，１２Ｂ〜１２Ｄにより下降限に垂下した状態で維持される。
【００２８】
支持装置は、上記の如く防水パンＰの上面に受け材１１の止水部１１Ａを接触させた状態において、図１（Ｂ）に示すように、防水パンＰの側面に、固定材１２の固定部１２Ａを第１ねじＳ１で固定する。このとき、固定材１２は、下降限に垂下させた状態でも良いし、上下動可能な範囲で位置調整することも可能である。
【００２９】
次に、支持装置は、上記の如く第１ねじＳ１により防水パンＰの側面に固定部１２Ａを固定した状態において、予め取付けた第２ねじＳ２を下方にねじ込む。つまり、受け材１１の膨出部１１Ｇに挿通させた第２ねじＳ２を、固定材１２の水平連結部１２Ｅにねじ込む。これにより、先に第１ねじＳ１で固定した固定材１２に対して、受け材１１が下降し、その結果、防水パンＰの上面に止水部１１Ａを圧接させることとなる。
【００３０】
そして、支持装置は、上記の如く第２ねじＳ２の螺着に伴って防水パンＰの上面に止水部１１Ａを圧接させた状態において、図１（Ｃ）に示すように、受け材１１に側部から挿通させた第３ねじＳ３を固定材１２に螺着する。つまり、受け材１１の垂直連結部１１Ｆに挿通させた第３ねじＳ３を、固定材１２の垂直連結部１２Ｆに螺着して、受け材１１に固定材１２を固定する。このようにして、支持装置の取付が完了する。
【００３１】
上記の如く取付けた支持装置は、図１（Ｃ）及び図２に示すように、浴室戸Ｕを下枠２２の部分で支持する。浴室戸Ｕは、上枠２１、下枠２２及び左右の竪枠２３（片側のみ図示）で構成した戸枠Ｆに、例えば折り戸等の戸本体Ｄを組付けたものである。
【００３２】
上記実施形態で説明した浴室戸の製造方法は、装置構造や取付作業の簡略化を実現することができると共に、防水パンとの間の充分な止水性を確保することができる。
【００３３】
すなわち、上記の支持装置は、防水パンＰの上面に止水部１１Ａを圧接させる手段として、受け材１１に上側から挿通させた第２ねじＳ２を固定材１２に螺着する構成を採用しているので、従来の支持構造における受け材の下降手段のように、横方向から回転操作するねじの力を受け材の下降に変換させる手段が不要であり、装置構造の簡略化を実現することができる。
【００３４】
また、従来技術では、主受け材の下降量を考慮しつつ、主受け材の内部に組み込んだ副受け材を防水パンの側面に固定する必要があるので、副受け材の位置決め作業が煩雑である。これに対して、当該支持装置は、図１（Ａ）に示す如く防水パンＰの上面に受け材１１の止水部１１Ａを接触させれば良く、自然な状態では固定材１２が下降限に保たれるので、位置決め作業が極めて容易であり、第１ねじＳ１による固定材１２の固定も簡単である。従って、位置決めを含む取付作業を大幅に簡略化し得る。
【００３５】
さらに、上記の支持装置は、防水パンＰの上面に止水部１１Ａを圧接させるに際し、従来の支持装置のように横方向から設けたねじで主受け材を下降させるのではなく、上側から挿通した第２ねじで受け材１１を下方向に押圧するので、止水部１１Ａの圧接方向と第２ねじＳ２による加圧方向とが一致し、防水パンＰの上面に対して止水部１１Ａを強く圧接させることができる。これにより、当該支持装置と防水パンＰとの間の充分な止水性を得ることができる。
【００３６】
さらに、上記の支持装置は、第１ねじＳ１により固定材１２を固定した後、第２ねじＳ２により、防水パンＰに対する止水部１１Ａの圧接と、固定材１２に対する受け材１１の固定を行うことが可能であり、浴室戸Ｕの充分な支持機能を得ることができる。
【００３７】
さらに、上記実施形態のように、第２ねじＳ２の螺着に伴って防水パンＰの上面に止水部１１Ａを圧接させた状態において、受け材１１に側部から挿通させた第３ねじＳ３を固定材１２に螺着すれば、仮に第２ねじＳ２が緩んだとしても受け材１１が浮き上がるようなこともなく、受け材１１及び固定材１２の連結状態がより一層強固なものになり、浴室戸Ｕの支持機能がより高められる。
【００３８】
このとき、当該支持装置では、受け材１１及び固定材１２がいずれも中空形材であるから、それ自体の強度が高いうえに、金属製である固定材１２に螺着する第２及び第３のねじＳ２，Ｓ３により受け材１１を固定しているので、樹脂製の防水パンＰに螺着するねじを用いるよりも、受け材１１を強固に固定し得る。
【００３９】
さらに、上記の支持装置は、受け材１１において、水平連結部１１Ｆに、上方向に突出した膨出部１１Ｇを形成し、この膨出部１１Ｇに第２ねじＳ２を貫通させているので、第２ねじＳ２の挿通部分に水が溜まるような事態を未然に阻止することができ、止水性をより一層高めることができる。
【００４０】
ここで、上記の支持装置は、図１（Ｃ）に示す受け材１１と下枠２２との間において、上面の隙間にシール材１５を介装すると共に、受け材１１の水平連結部１１Ｅの両側にシール材１６，１６を介装するのであるが、これらのシール材１５，１６に加えてより高い止水構造を有するものとなっている。
【００４１】
すなわち、支持装置は、仮に、受け材１１と下枠２２の上面の隙間に設けたシール材１５の部分から水が浸入したとしても、さらに内側にシール材１６があるうえに、水平連結部１１Ｅには上方に突出した膨出部１１Ｇが形成してあるので、その水が第２ねじＳ２の挿通部分に到達することはない。また、万一、膨出部１１Ｇの内側に水が浸入したとしても、その水は、微量であるならば固定材１２の水平連結部１２Ｅの上面やその下側の中空部において蒸発し、ある程度の量であっても水平連結部１２Ｅの上面や中空部を経て排水することが可能である。したがって、受け材１１と下枠２２との隙間から浸入した水が建物躯体側に影響することは皆無である。
【００４２】
さらに、上記の支持装置を採用した浴室戸Ｕにおいても、装置構造や取付作業の簡略化を図ることができると共に、強固な支持状態が得られ、また、防水パンＰとの間の充分な止水性を得ることができる。
【００４３】
なお、本発明の浴室戸の製造方法は、その構成が上記実施形態に限定されるものではなく、本発明の要旨を逸脱しない範囲において、各構成の細部を適宜変更することが可能である。
【符号の説明】
【００４４】
Ｐ              防水パン
Ｕ              浴室戸
１１            受け材
１２            固定材
１１Ａ          止水部
１１Ｂ〜１１Ｄ  係止部
１２Ａ          固定部
Ｓ１            第１ねじ
Ｓ２            第２ねじ
【図１】
0005933969.tif 000002
【図２】
0005933969.tif 000003